【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】  ユーザがレーザビームをターゲットに発射し、小火器操作をシミュレートすることを可能にする小火器レーザ訓練システムであって、
各ゾーンが意図されたターゲットサイトを表す複数のゾーンと、
前記ターゲットをスキャンし、前記ターゲット上の前記レーザビームの衝突位置を含む、スキャンされる前記ターゲットイメージを生成するセンシング装置と、
前記センシング装置から、センシング装置により検出された前記衝突位置に関する情報を取得するプロセッサであって、該プロセッサは、前記取得情報を処理し、ユーザのパフォーマンスを評価し、該評価に関連する情報と、前記ターゲット上の前記検出された衝突位置を表すマークを有する前記ターゲットのイメージを表示するものであるプロセッサと、
を有する小火器レーザ訓練システム。
【請求項２】  前記衝突位置情報は、前記スキャンされたターゲットイメージ内の検出された衝突位置座標を含む請求項１記載のシステム。
【請求項３】  前記衝突位置情報は、前記スキャンされたターゲットイメージを含み、前記評価モジュールは、前記スキャンされたターゲットイメージ内の検出された衝突位置座標を決定する座標モジュールを含む、請求項１記載のシステム。
【請求項４】  前記座標モジュールは、閾値を超えるスキャンされたイメージピクセル値に基づく前記スキャンされたターゲットイメージ内の前記検出された衝突位置を特定する検出モジュールを含む、請求項３記載のシステム。
【請求項５】  前記評価モジュールは、更に、周囲環境の測定光状態に応答して、自動的に前記閾値を調整する閾値モジュールを有する、請求項４記載のシステム。
【請求項６】  前記プロセッサは、更に、前記ターゲットと関連するターゲット空間と、前記スキャンされたターゲットイメージと関連するターゲット空間とを相互に関連付けるキャリブレーションモジュールを有する請求項１記載のシステム。
【請求項７】  前記キャリブレーションモジュールは、前記ターゲットの前記ターゲット空間と前記スキャンされたターゲットイメージとのアライメントを容易にする為に、前記ターゲットのイメージ上にオーバレイ表示を行うオーバレイモジュールを含む、請求項６記載のシステム。
【請求項８】  前記キャリブレーションモジュールは、更に、前記ターゲットイメージ上で前記ユーザにより指示されるターゲット境界位置に応じて、自動的に前記ターゲットイメージを持つ前記オーバレイをアラインするアラインメントモジュールを有する請求項７記載のシステム。
【請求項９】  前記センシング装置は、前記ターゲットに関連するターゲット空間を、前記スキャンしたターゲットイメージと関連するターゲット空間と相互に関連付けるキャリブレーションモジュールを有する請求項１記載のシステム。
【請求項１０】  前記各ゾーンがパフォーマンス情報と関連し、前記レーザビームにより衝突を受けるゾーンの前記パフォーマンス情報に基づき、前記評価モジュールがユーザパフォーマンスを評価するパフォーマンスモジュールを有する請求項１記載のシステム。
【請求項１１】  前記パフォーマンスモジュールは、前記各ゾーンに関係した得点値を持つ前記ターゲットに関連するターゲットファイルにアクセスし、前記レーザビームにより衝突を受けるゾーンの得点値を累積することによりユーザのために総計得点を決めるための得点モジュールを有する請求項１０記載のシステム。
【請求項１２】  前記プロセッサは、前記パフォーマンスモジュールにアクセス可能な複数のターゲットに関連した複数のターゲットファイルを格納する請求項１０記載のシステム。
【請求項１３】  前記センシング装置がカメラを有する請求項１記載のシステム。
【請求項１４】  少なくとも前記ターゲット及び前記センシング装置を安全に保持し、運搬するケースを有する請求項１記載のシステム。
【請求項１５】  前記ケースは、下部部材に回転可能に取り付けられる上部部材を有するものであり、前記上部部材は、システムオペレーション期間に前記ターゲットを安全にするためにセクションを保持するターゲットを含む請求項１４記載のシステム。
【請求項１６】  ユーザが、レーザビームをターゲットに向けて発射する小火器シミュレーションシステムであって、前記ターゲットは、複数のゾーンを有し、各ゾーンは意図されるターゲットサイトを表わすシステムにおいて、シミュレーション小火器操作は、以下のステップからなる方法。
（ａ）  レーザビームを前記ターゲットに向けて発射し、前記ターゲット上に衝撃位置を生成するステップ、
（ｂ）  前記センシング装置を持つターゲットをスキャンし、前記ターゲット上に前記ビームの衝突位置を含む前記ターゲットのスキャンされたイメージを生成するステップ、
（ｃ）  前記センシング装置から前記プロセッサに、前記センシング装置が検出した前記衝突位置に関係する情報を送信するステップ、及び
（ｄ）  前記送信された衝突位置情報を処理して、ユーザパフォーマンスを評価し、前記評価に関連する情報と、前記ターゲット上の前記検出された衝突位置を表すマークを有する前記ターゲットのイメージとを表示するステップ。
【請求項１７】  請求項１６記載の方法であって、
該請求項のステップ（ｂ）が、
(b.1)  前記スキャンされたターゲットイメージ内の前記検出された衝突位置の座標を決定するステップ、
同請求項のステップ（ｃ）が、
(c.1)  前記座標を前記センシング装置から前記プロセッサへ送信するステップ、を含む請求項16記載の方法。
【請求項１８】  請求項１６記載の方法であって、
該請求項のステップ（ｃ）が、
(ｃ.1)  前記スキャンされたターゲットイメージを前記プロセッサに送信するステップ、
同請求項のステップ（ｄ）が、
(d.1)  前記プロセッサを使って前記スキャンされたターゲットイメージを処理し、前記スキャンされたターゲットイメージ内の前記検出された衝突位置の座標を決定するステップ、
を含む請求項16記載の方法。
【請求項１９】  請求項１８記載の方法であって、
該請求項のステップ（d.1）が、
(d.1)  閾値を超えるスキャンされたイメージピクセル値に基づいて、前記スキャンされたターゲットイメージ内の前記検出された衝突位置を特定するステップ、
該請求項のステップ（d.1）が、
を含む請求項18記載の方法。
【請求項２０】  請求項１６記載の方法であって、
該請求項のステップ（ｂ）が、
(b.1)  前記ターゲットと関係する前記ターゲット空間と、前記スキャンされたターゲットイメージに関係するターゲット空間とを相互に関連させるステップ、を有する請求項16記載の方法。
【請求項２１】  請求項２０記載の方法であって、
該請求項のステップ（ｂ.1）が、
(b.1.1)  前記ターゲットの前記ターゲット空間と前記スキャンされたターゲットイメージのアラインメントを容易化するために、前記ターゲットのイメージにオーバーレイを表示するステップ、
を含む請求項20記載の方法。
【請求項２２】  請求項２１記載の方法であって、
該請求項のステップ（ｂ.1.1）が、
（b.1.1.1）  前記ターゲットイメージ上で、ユーザが指示するターゲット境界位置に対応して、前記オーバーレイと前記ターゲットイメージとを、自動的にアラインするステップ、
を含む請求項21記載の方法。
【請求項２３】  各ゾーンがパフォーマンス情報に関係する請求項１６記載の方法であって、
該請求項のステップ（ｄ）が、
(d.1)  前記レーザビームが衝突するゾーンの前記パフォーマンス情報に基づいてユーザパフォーマンスを評価するステップ、
を含む請求項16記載の方法。
【請求項２４】  請求項２３記載の方法であって、
該請求項のステップ（ｄ.1）が、
(d.1.1)  前記ターゲットに関係するターゲットファイルにアクセスするステップ（但し、前記ターゲットファイルは、前記各ゾーンに関係する得点値を含むものである）と、
(d.1.2)  前記レーザビームが衝突したゾーンの得点値を累積し、ユーザの為に総合得点を決定するステップと、
を含む請求項23記載の方法。
【請求項２５】  ユーザがレーザビームをターゲットに向けて発射し、小火器操作をシミュレートすることを可能にする小火器レーザ訓練システムであって、
複数ゾーンを有する前記発射レーザビームを受けるターゲット手段と、
前記ターゲット手段をスキャンして、前記ターゲット手段上の前記レーザビームの衝突位置を含む前記ターゲット手段のイメージを生成するセンシング手段と、
前記センシング手段から、前記センシング手段が検出した前記衝突位置に関係する情報を受け取る処理手段であって、前記受け取った情報を処理し、ユーザパフォーマンスを評価するもので、前記評価に関係する情報、及び、前記ターゲット手段上の前記検出された衝突位置を表すマークを持つ前記ターゲット手段のイメージを表示するための評価手段を含む処理手段と、
からなる小火器レーザ訓練システム。
【請求項２６】  前記衝突位置情報は、前記ターゲット手段の前記スキャンされたイメージ内の検出された衝突位置の座標を含む請求項２５記載のシステム。
【請求項２７】  前記衝突位置情報は、前記ターゲット手段の前記スキャンされたイメージを含み、前記評価手段は、前記ターゲット手段の前記スキャンされたイメージないの検出された衝突位置の座標を決定する座標手段を含む請求項２５記載のシステム。
【請求項２８】  前記座標手段は、閾値を超えるスキャンされたイメージピクセル値に基づいて前記ターゲットの前記スキャンされたイメージ内の前記検出された衝突位置を特定する検出手段を含む請求項２７記載のシステム。
【請求項２９】  前記評価手段は、更に、周囲環境の測定された光状態に対応して、前記閾値を自動的に調整するための閾値手段を含む請求項２８記載のシステム。
【請求項３０】  前記処理手段は、更に、前記ターゲット手段と関係するターゲットと、前記ターゲット手段の前記スキャンされたイメージに関係するターゲット空間とを相互に関連させるキャリブレーション手段を含む請求項２５記載のシステム。
【請求項３１】  前記センシング手段は、前記ターゲット手段と関係するターゲットと、前記ターゲット手段の前記スキャンされたイメージに関係するターゲット空間とを相互に関連させるキャリブレーション手段を含む請求項２５記載のシステム。
【請求項３２】  各ゾーンはパフォーマンス情報と関係しており、前記評価手段は、前記レーザビームが衝突するゾーンの前記パフォーマンス情報に基づいて、ユーザパフォーマンスを評価するためのパフォーマンス手段を含む請求項２５記載のシステム。
【請求項３３】  前記パフォーマンス手段は、前記ターゲット手段に関係するファイルにアクセスするための、及び前記レー-ザビームが衝突するゾーンの得点値を累積することにより総合得点決定するための得点手段含む請求項３２記載のシステム。
【請求項３４】  更に、少なくとも前記ターゲット手段と前記センシング手段とを安全にし、運搬する格納手段を含む請求項２５記載のシステム。
【請求項３５】  前記格納手段は、システムオペレーション期間に、前記ターゲット手段を安全に保持するための支持手段を含む請求項３４記載のシステム。